(57)【要約】      （修正有）【課題】  紙を押え付けるための紙押え片の降下と同時に穿孔杆も降下するようにして、穿孔操作の予備操作である紙押え操作を行え、能率的な穿孔作業と電力の無駄な消費を防止できる紙葉穿孔装置を提供する。【解決手段】  装置本体１に駆動モータに連けいしたプーリ２を設け、該プーリの内側に設けたキー５をキー溝６に摺嵌して主軸４を前記装置本体に回動自在に縦設する。該主軸に雄ねじ７を設け、該雄ねじを、紙押え枠１３を吊設した支持基盤８に設けたねじ孔に螺合して前記主軸を前記支持基盤に組付け、主軸の下端に前記紙押え枠１３の紙押え片１３ａで押えた紙葉を穿孔する穿孔杆１０を設ける。また、前記装置本体に前記主軸と並べて支軸１５を縦設し、挟持縁１６ａを係止溝１５ａから離開させる操作手段を前記支持基盤に設ける。【選択図】  図１
2006051565.tif 000002
【特許請求の範囲】
【請求項１】
装置本体に駆動モータに連けいしたプーリを設け、該プーリの内側に設けたキーをキー溝に摺嵌して主軸を前記装置本体に回動自在に縦設し、該主軸に設けた雄ねじをねじ孔に螺合して、紙押え枠を吊設した支持基盤に、前記主軸を組付け、該主軸の下端に、前記紙押え枠の紙押え片で押えた紙葉を穿孔する穿孔杆を設けると共に、前記装置本体に前記主軸と並べて支軸を縦設し、該支軸の上下方向の適所を挟持して前記支持基盤を上下方向の適所で定置する挟持手段と、この挟持手段による支軸の挟持状態を開放する操作手段を、それぞれ前記支持基盤に設けた、紙葉穿孔装置。
【請求項２】
挟持手段を、支軸の周側に上下方向に並設した係止溝にばね付勢を利用して係合し、しかも、支持基盤に回動自在に枢着した一対の挟持片で構成する一方、操作手段を、前記挟持片を前記ばね付勢に抗して前記係止溝から後退させる操作片で構成した、請求項１記載の紙葉穿孔装置。
【発明の詳細な説明】
【技術分野】
【０００１】
本発明は、電動の紙葉穿孔装置に関するものである。
【背景技術】
【０００２】
基台に駆動モータに連けいしたプーリを設け、該プーリに設けたキーにキー溝を摺嵌して主軸を前記基台に回動自在に縦設し、下端に穿孔杆を設けた該主軸に設けた雄ねじを前記基台に設けたねじ筒に螺合する一方、紙押えを前記主軸に設けた昇降ブロックに吊設した支持杆に取付け、支持杆に巻回したスプリングを前記基台と前記昇降ブロックとの間に介在させた構造のものがある（例えば、特許文献１）。
【０００３】
この構造のものは、プーリを介して連けいしたモータの回動力をキーとキー溝との係合関係によって主軸に伝達する一方、この回動力と共に穿孔操作に必要な推進力を雄ねじとねじ筒の螺合関係によって得るようにし、穿孔操作時に紙葉方向に降下する穿孔杆と同時に紙押えを降下させて紙葉を押え付けるようにしたものである。
【０００４】
【特許文献１】特開平８−２９０３９８号公報
【発明の開示】
【発明が解決しようとする課題】
【０００５】
前記従来例は、穿孔操作時に紙押えと穿孔杆を同時に降下させる構造のため、紙押えで紙葉を押えきらないうちに、穿孔杆による穿孔操作が行われて、いわば誤作業が生じるおそれがある。このため、紙押えで紙葉を確実に押えつけた後、穿孔杆による穿孔操作が行われるよう紙押えと穿孔杆との間にある程度の離開距離をおき、紙押え操作と穿孔操作のタイミングをずらす必要があり、その分穿孔操作が遅れるという欠点がある。
【０００６】
もとより、紙葉位置まで紙押えと穿孔杆を同時に降下させなければならないから、その分無駄な電力消費にもなる。
【０００７】
本発明は斯様な従来例の欠点を解消した紙葉穿孔装置を提供すべく創案したものである。
【課題を解決するための手段】
【０００８】
装置本体に駆動モータに連けいしたプーリを設け、該プーリの内側に設けたキーをキー溝に摺嵌して主軸を前記装置本体に回動自在に縦設し、該主軸に設けた雄ねじをねじ孔に螺合して、紙押え枠を吊設した支持基盤に、前記主軸を組付け、該主軸の下端に、前記紙押え枠の紙押え片で押えた紙葉を穿孔する穿孔杆を設けると共に、前記装置本体に前記主軸と並べて支軸を縦設し、該支軸の上下方向へ適所を挟持して前記支持基盤を上下方向の適所で定置する挟持手段と、この挟持手段による支軸の挟持状態を開放する操作手段を、それぞれ前記支持基盤に設けた構成を基本的手段とし、より具体的には挟持手段を、支軸の周側に上下方向に並設した係止溝にばね付勢を利用して係合し、しかも、支持基盤に回動自在に枢着した一対の挟持片で構成する一方、操作手段を、前記挟持片を前記ばね付勢に抗して前記係止溝から後退させる操作片で構成したこととするのである。
【発明の効果】
【０００９】
紙葉を押え付けるための紙押え片の降下と同時に穿孔杆も降下するようにして、穿孔操作の予備操作である紙押え操作を行え、この紙押え操作時に紙押え片に対して穿孔杆を常時最も近接した位置に配して紙葉の穿孔作業を行え、能率的な穿孔作業と電力の無駄な消費を防止できる紙葉穿孔装置を提供する。
【実施例】
【００１０】
図面は本発明に係る紙葉穿孔装置の一実施例を示し、図１は一部欠截正面図、図２は図１の一部拡大図、図３は図１の横断面図、図４は図３の一部拡大図である。
【００１１】
図中、１は装置本体で、装置本体１は図示省略した装置基盤に相対して立設した一対のフレーム１ａ，１ａと該フレーム１ａ，１ａの上部に架設した上下一対の支持板１ｂ，１ｂを備えたもので、この装置本体１の前記支持板１ｂ，１ｂ間に一対のプーリ２，２を介在させて回動自在に組付けてある。
【００１２】
プーリ２は前記装置本体１に設けた駆動モータ（図示省略）にベルト３を介して連けいしたもので、このプーリ２に主軸４を軸線上において貫通させて組合わせ、プーリ２の内側に設けたキー５を主軸４の周側に設けたキー溝６に相対的に摺嵌させて前記駆動モータの回動力がプーリ２を介して主軸４に伝達する一方、キー５とキー溝６の係合関係により主軸４は必要に応じて自在に縦動できるようにしてある。
【００１３】
主軸４は、中間部に刻設した雄ねじ７を備え、該雄ねじ７を前記支持板１ｂの下方に配置した支持基盤８に固装した、ねじ孔を構成するねじ筒９に螺合して支持基盤８に連けいさせ、ねじ筒９（支持基盤８）より突出する下端に穿孔杆１０を着脱自在に取付けてある。
【００１４】
支持基盤８は、両側（前記フレーム１ａ側の）に取付けた支持部片８ａに前記フレーム１ａに設けた縦方向に長い長窓１１を貫通させた支持杆１２の一端を取付け、支持杆１２の他の一端を紙押え枠１３の脚部片１３ｂに取付けて、紙押え枠１３を吊設（一体的に設けた）したもので、ねじ筒９に雄ねじ７において螺合した前記主軸４，４間の中央部に透孔１４を設け、該透孔１４に前記支持板１ｂに上端を組付けて前記支軸４と並べて縦設（吊設）した支軸１５を貫通させ、ねじ筒９部が雄ねじ７部（主軸４）に案内されると共に、透孔１４部が支軸１５に案内され縦動するようにしてある。
【００１５】
支軸１５はその周側にその長手方向に沿って無数の係止溝１５ａ，…が形成されるように螺旋溝を刻設したもので（螺旋溝を設けて係止溝１５ａを設けたのは製作上の便宜さからであり、要は、凹凸が交互に繰り返して形成される凹入部によって「係止溝」を構成すれば良い）、該係止溝１５ａに係合してこの支軸１５を挟持する一対の挟持片１６，１６を支持基盤８上に枢着してある。
【００１６】
挟持片１６，１６は、前記支軸１５乃至透孔１４を介して配置され、支持基盤８を横切る方向に長くした一端部を軸１７で回動自在にして前記の通り支持基盤８に枢着し、相対する長手方向に沿う一側縁部１６´の中間部にはやや半円状の凹入縁を設けて、支軸１５の上下方向に並んだ係止溝１５ａ，…の適宜のものに係止する挟持縁１６ａと成し、前記軸１７側の一端間に第一コイルばね１８を架設して前記挟持縁１６ａが係止溝１５ａ，…から離脱する方向に軸１７を中心に回動付勢させたものである。
【００１７】
この挟持片１６，１６の軸１７を中心とし、しかも、前記第一コイルばね１８で付勢された回動軌跡上に、第一コイルばね１８の付勢によって挟持片１６の前記一側縁部１６´に対応する他の一側縁部１６´´が常時圧接する規制片１９を配置して前記支持基盤８上に軸２０で回動自在に枢着してある。
【００１８】
規制片１９は、前記ねじ筒９乃至これに螺合した前記主軸４を部分的に取り囲む円弧状の平板主体１９Ａの、前記支持部片８ａ側の一端を軸２０で前記の通り支持基盤８に回動自在に枢着し、前記円弧形の外端縁の該枢着部側の一側に部片１９ａを突設して、これに一端を接続ピン２７で操作片２１に回動自在に接続し、しかも、支持基盤８の下側に配した仲介片２８の他の一端を接続ボルト２９で回動自在に接続する一方、該枢着部側の一端に対応する平板主体１９Ａの他の一端に前記支軸１５の軸線に沿わせてピン２２を突設し、該ピン２２に一端を係止した第二コイルばね２３の他の一端を、支持基盤８に突設した（支軸３３で支持基盤８に取付けて）補助片２４（の突部片）に係止して、組付けてあり、この規制片１９はこの第二コイルばね２３の付勢によって前記軸２０を中心に回動付勢され、前記挟持片１６を第一コイルばね１８の付勢に抗して押圧し、挟持片１６による前記支軸１５の挟持状態を保持する。
【００１９】
軸２０を中心にして第二コイルばね２３の引張りによって回動付勢された規制片１９の回動は、規制片１９（平板主体１９Ａ）の自由端（前記他の一端）の回動軌跡上にして前記支持基盤８に突設したピンより成るストッパー２５に該規制片１９が接することによって規制され、この回動規制位置に配された規制片１９によって第一コイルばね１８の付勢による挟持片１６の、軸１７を中心とする回動が規制され、前記の通り、挟持片１６，１６は挟持縁１６ａ，１６ａにおいて係止溝１５ａに係合して支軸１５を挟持する。
【００２０】
前記操作片２１は、紙押え枠１３の前記脚部片１３ｂを貫通させたややＬ字形の主体部片２１ｂのＬ字形の一片の、紙押え枠１３の外部に配設した一端に該主体部片２１ｂに対して直角折曲げ状にして操作部片２１ａを連設し、主体部片２１ｂの、Ｌ字形の前記一片に対する他の一片を、前記仲介片２８と紙押え枠１３の前記脚部片１３ｂの前端に折り曲げ状にして連設した前部片１３ｃ間にわたし、仲介片２８側を、該仲介片２８に前記接続ピン２７によって前記の通り、回動自在に枢着し、前部片１３ｃ側を該前部片１３ｃに枢支ピン２６によって回動自在に枢着し、紙押え枠１３に組付けたものである。
【００２１】
紙押え枠１３は、前記の通り、前端に前部片１３ｃを折り曲げ状にして連設した脚部片１３ｂ，１３ｂの下端間に断面Ｌ字形の紙押え片１３ａを架設し、脚部片１３ｂの上端には把手部片１３ｄを操作片２１の前記操作部片２１ａに相対するようにして連設して構成し、前記紙押え片１３ａの、前記穿孔杆１０の軸線上位置には該穿孔杆１０が貫通、移動する透孔３０を設けてある。
【００２２】
しかして、紙の位置合わせ装置３６を利用して（省略しても良いし、紙の位置合わせ装置３６そのものを省略した装置であっても良い）紙を図示省略した台板上に載置して、紙押え枠１３側の把手部片１３ｄに指先を当てつつ操作片２１を操作部片２１ａに他の指先を当てて枢支ピン２６を中心にして回動させると、操作片２１に仲介片２８を介して規制片１９を接続してあるので、規制片１９は軸２０を中心に第二コイルばね２３の付勢に抗して回動し、挟持片１６に接して該挟持片１６に最も近接していた位置から後退し、この後退に伴って第一コイルばね１８の付勢による軸１７を中心とした回動が規制片１９によって規制されていた挟持片１６は第一コイルばね１８の作用により軸１７を中心に回動し、挟持片１６の挟持縁１６ａは支軸１５の係止溝１５ａから離脱し、この結果、挟持片１６は支軸１５に対して該支軸１５ａ軸線方向に自由に移動できる状態になる。
【００２３】
該状態を把手部片１３ｄと操作部片２１ａを指先で挟持して保持したまま、降下させると、紙押え枠１３と支持基盤８は前記の通り互いに一体的にしてあり、支持基盤８に、該支持基盤８に設けたねじ筒９に雄ねじ７において主軸４を組付け、しかも、主軸４に設けたキー溝６にキー５を係合した関係から主軸４はプーリ２に対して上下方向の移動は自由であるので、支持基盤８すなわち該支持基盤８に雄ねじ７等を介して組付けた主軸４の下端に設けた穿孔杆１０と紙押え枠１３すなわち紙押え片１３ａは原位置関係（最も高い位置に配した穿孔杆１０の先端が透孔３０に係合した状態の関係にある状態）を保ったまま降下し、紙押え片１３ａは被穿孔（加工）紙である紙を押え付ける状態になる。
【００２４】
そして、この状態のときに、操作部片２１ａから指先を離すと、第二コイルばね２３が作用して規制片１９を軸２０を中心にして回動させて原位置へと復帰させ、この復帰中に第二コイルばね２３の付勢が働いて第一コイルばね１８の付勢に抗して該規制片１９が挟持片１６を押圧して軸１７を中心に回動させ、この結果、挟持片１６は挟持縁１６ａにおいて支軸１５を挟持し、この挟持によって支持基盤８は支軸１５に組付られた状態となる。
【００２５】
次いで、図示省略した駆動モータを作動させてプーリ２を回動させると、キー５とキー溝６の係合関係によって該プーリ２に連係させた主軸４は回動し、主軸４の雄ねじ７は定置状態にある前記支持基盤８に設けたねじ筒９に螺合してあるので、該ねじ筒９に案内されて降下し、すなわち、穿孔杆１０を備えた主軸４は支持基盤８や紙押え枠１３と独立して降下し、紙押え枠１３（紙押え片１３ａ）で押え付けた紙を穿孔し、穿孔作業を終える（なお、穿孔後、公知の手段によって穿孔杆１０は原位置に復帰するようになっている）。
【００２６】
そして、操作片２１を操作することにより支持基盤８乃至紙押え枠１３を適宜縦動させて前記操作を繰り返すことにより次段の穿孔作業を行うのである。
【図面の簡単な説明】
【００２７】
【図１】一部欠截正面図。
【図２】図１の一部拡大図。
【図３】図１の横断面図。
【図４】図３の一部拡大図。
【符号の説明】
【００２８】
１      装置本体
２      プーリ
４      主軸
５      キー
６      キー溝
７      雄ねじ
８      支持基盤
１０    穿孔杆
１３    紙押え枠
１３ａ  紙押え片
１５    支軸
１５ａ  係止溝
１６    挟持片
１６ａ  挟持縁
【図１】
2006051565.tif 000003
【図２】
2006051565.tif 000004
【図３】
2006051565.tif 000005
【図４】
2006051565.tif 000006